(57)【特許請求の範囲】
【請求項１】
記録媒体に対し液体を吐出し画像を形成する記録ヘッドと、
前記記録ヘッドを回復処理する回復処理部を有するインクジェット記録装置において、
前記記録媒体が搬送される搬送路と、
前記搬送路と前記記録ヘッドとの間に配され、かつ前記記録ヘッドが通過可能な開口部を有した回復処理部と、
前記開口部を覆うシャッター部材と、
前記シャッター部材の上方で回復処理する回復処理位置と前記搬送路上の記録媒体に画像を形成する記録動作位置との間で前記開口部を通じて前記記録ヘッドを移動させる移動機構と、
前記開口部を覆うために前記シャッター部材を移動させる移動手段と、を有することを特徴とするインクジェット記録装置。
【請求項２】
前記開口部は、前記記録ヘッドの配列方向に沿って、かつ該記録ヘッドに応じて複数形成されることを特徴とする請求項１に記載のインクジェット記録装置。
【請求項３】
前記移動手段は、前記シャッター部材が連結される前記回復処理部における可動フレーム部材と、前記可動フレーム部材を駆動する駆動手段とを含んでなることを特徴とする請求項１、または、請求項２記載のインクジェット記録装置。
【請求項４】
前記回復処理部を支持し、かつ前記記録ヘッドが通過可能な開口部を有したフレーム部材を有し、
前記シャッター部材は、前記フレーム部材に移動可能に支持される前記可動フレーム部材の移動に応じて該フレーム部材の開口部を開閉することを特徴とする請求項３に記載のインクジェット記録装置。
【請求項５】
前記可動フレーム部材は、前記記録ヘッド部の記録動作の際、一方向に移動され、前記回復処理部が作動状態とされるとき、他の方向に移動されることを特徴とする請求項３、または、請求項４記載のインクジェット記録装置。
【請求項６】
前記可動フレーム部材は、前記記録ヘッドの配列方向に沿って、かつ該記録ヘッドに応じて複数のクリーニング部材、および、前記記録ヘッドから吐出されるインクを回収する回収部が設けられることを特徴とする請求項３、４、５のうちのいずれかに記載のインクジェット記録装置。
【請求項７】
前記回収部は、櫛歯状部を有し前記記録ヘッドから吐出されるインクを導くインクガイド部材を備えることを特徴とする請求項６記載のインクジェット記録装置。
【請求項８】
前記インクガイド部材は、前記回復処理部が作動状態とされるとき、前記櫛歯状部が前記記録ヘッドのインク吐出口形成面に対し所定距離離隔して配されることを特徴とする請求項７記載のインクジェット記録装置。
【請求項９】
前記回収部における開口端部を形成する外周縁部は、前記記録ヘッドのインク吐出口形成面を選択的に覆うリップ部を有し、前記インクガイド部材を包囲することを特徴とする請求項８記載のインクジェット記録装置。
【請求項１０】
前記回収部は、前記記録ヘッドから吐出されるインクを外部に排出する排出通路を有し、インク中の異物を除去するフィルタが該排出通路に設けられることを特徴とする請求項９に記載のインクジェット記録装置。
【請求項１１】
記録媒体が搬送される搬送路と、前記記録媒体に対し液体を吐出し画像を形成する少なくとも一つの記録ヘッドを有するインクジェット記録装置に適用される回復処理装置であって、
前記搬送路と前記記録ヘッドとの間に配され、かつ前記記録ヘッドが通過可能な開口部を有した回復処理部と、
前記開口部を覆うシャッター部材と、
前記シャッター部材の上方で回復処理する回復処理位置と前記搬送路上の記録媒体に画像を形成する記録動作位置との間で前記開口部を通じて前記記録ヘッドを移動させる移動機構と、
前記開口部を覆うために前記シャッター部材を移動させる移動手段と、を有することを特徴とする回復処理装置。
【発明の詳細な説明】
【０００１】
【発明の属する技術分野】
本発明は、記録媒体の記録面に対しインクを吐出して記録動作を行う記録部の回復処理を行う回復処理装置、および、それを備えるインクジェット記録装置に関する。
【０００２】
【従来の技術】
記録媒体の記録面に対しインクを吐出し記録動作を行うインクジェット記録装置は、例えば、図12の（Ａ）に示されるように、記録媒体としての用紙ＰＡの記録面に対し記録動作を行う記録部２と、記録部２の下方に対向して形成され、その用紙ＰＡが矢印Ｃの示す方向に沿って搬送される記録媒体搬送路８と、記録部２と記録媒体搬送路８との間に記録媒体搬送路８に沿って移動可能に配され記録部２の記録ヘッド４Ｙ、４Ｍ、４Ｃ、４Ｂに対してそれぞれ、回復処理を行う回復処理部６とを含んで構成されている。
【０００３】
記録部２は、記録媒体搬送路８に沿って所定の相互間隔をもって配列される記録ヘッド４Ｙ〜４Ｂを保持するヘッドホルダー１６を含んで構成されている。ヘッドホルダー１６は、図示が省略される昇降機構によって昇降されることにより、図１３の（Ａ）に示されるように、用紙ＰＡから離隔するように、記録ヘッド４Ｙ〜４Ｂとともに移動されて待機位置、また、記録ヘッド４Ｙ〜４Ｂとともに図１２の（Ａ）、または図１４の（Ａ）に示されるような回復処理位置、さらに、図１３の（Ｃ）に示されるように記録ヘッド４Ｙ〜４Ｂとともに移動され所定の記録動作位置に所定期間、維持される。
【０００４】
各記録ヘッド４Ｙ〜４Ｂは、それぞれ、用紙ＰＡの記録面に対向した部分にインク吐出口が複数個形成されるインク吐出部を有している。
【０００５】
回復処理部６は、図１２の（Ｂ）に拡大して示されるように、後述する可動フレーム部材１２を移動可能に支持するフレーム部材１０と、可動フレーム部材１２により保持され各記録ヘッド４Ｙ〜４Ｂのインク吐出口面ＩＳに付着したインクおよび塵等をそれぞれ選択的に拭うブレード部材２０と、各記録ヘッド４Ｙ〜４Ｂのインク吐出口面ＩＳを先端がそれぞれ選択的に覆う複数のキャップ部材１４と、各キャップ部材１４内に配されるインク吸収体１８とを含んで構成されている。
【０００６】
装置本体に固定支持されるフレーム部材１０は、可動フレーム部材１２を収容する収容部を有するとともに、各記録ヘッド４Ｙ〜４Ｂにそれぞれ対応して開口部１０ａを収容部の底部に有している。
【０００７】
各開口部１０ａは、記録動作の際、後述するように各記録ヘッド４Ｙ〜４Ｂの先端部が通過するものとされる。
【０００８】
可動フレーム部材１２は、フレーム部材１０に設けられる図示が省略される駆動用モータの出力側に連結されている。これにより、駆動用モータが作動状態とされるとき、可動フレーム部材１２は、そのキャップ部材１４が図１３の（Ａ）に示されるような各記録ヘッド４Ｙ〜４Ｂに対向する位置から図１３および図1４の（Ｂ）に示されるような各記録ヘッド４Ｙ〜４Ｂの相互間に対向する位置および記録ヘッド４Ｙから外れた位置となるように移動せしめられる。また、可動フレーム部材１２は、図１３および図1４の（Ｂ）に示されるような位置から図１３の（Ａ）に示されるような位置に戻される。
【０００９】
可動フレーム部材１２における複数のキャップ部材１４は、記録ヘッド４Ｙ〜４Ｂが待機位置にあるとき、それぞれ、図１３の（Ａ）において各記録ヘッド４Ｙ〜４Ｂの真下となる位置に配されている。各キャップ部材１４は、選択的に各記録ヘッド４Ｙ〜４Ｂのインク吐出口面ＩＳを覆うリップ部１４ａを有している。
【００１０】
また、薄板状のブレード部材２０が、例えば、弾性を有する材料で作られ各キャップ部材１４に隣接して設けられている。各ブレード部材２０は、キャップ部材１４に対し記録媒体搬送路８の下流側となる位置に、各記録ヘッド４Ｙ〜４Ｂの昇降方向に沿って延在している。
【００１１】
従って、例えば、図１４の（Ａ）に示されるように、各記録ヘッド４Ｙ〜４Ｂのインク吐出口面ＩＳが所定の位置に保持される場合、各ブレード部材２０が、矢印Ｗが示す方向に移動せしめられるとき、各記録ヘッド４Ｙ〜４Ｂのインク吐出口面ＩＳが各ブレード部材２０の先端により拭われることとなる。
【００１２】
このような構成において、先ず、各記録ヘッド４Ｙ〜４Ｂの用紙ＰＡの記録面に対する記録動作が行われる場合、各記録ヘッド４Ｙ〜４Ｂは、図１２の（Ａ）に示される状態から図１３の（Ａ）に示される状態に上昇せしめられる。また、可動フレーム部材１２は、図１３の（Ｂ）に示されるように、各ブレード部材２０等が各記録ヘッド４Ｙ〜４Ｂの相互間に対応する位置まで移動せしめられる。
【００１３】
次に、各記録ヘッド４Ｙ〜４Ｂの下端部は、図１３の（Ｃ）に示されるように、各開口部１０ａを通じて用紙ＰＡに対し所定距離、離隔した位置まで下降せしめられた後、各記録ヘッド４Ｙ〜４Ｂは用紙ＰＡに対し記録動作を行う。
【００１４】
一方、各記録ヘッド４Ｙ〜４Ｂに対する回復処理が行われる場合、図１２の（Ａ）に示されるように、キャップ部材１４のリップ部１４ａが各記録ヘッド４Ｙ〜４Ｂのインク吐出口面ＩＳに当接している状態においてキャップ部材１４に付設される真空ポンプ部が所定期間、作動状態とされる。
【００１５】
これにより、各インク吐出口面ＩＳのインク吐出口からインクが異物とともに吸い出され、それがインク吸収体１８に落下して回収されることとなる。
【００１６】
続いて、各記録ヘッド４Ｙ〜４Ｂは、図１４の（Ａ）に示されるように、キャップ部材１４のリップ部１４ａから離隔されて所定位置に停止される。その際、可動フレーム部材１２が矢印Ｗの示す方向に移動せしめられるのでブレード部材２０は、図１４の（Ａ）に示される状態を経て図１４の（Ｂ）に示される位置まで移動せしめられる。これにより、各インク吐出口面ＩＳに付着したインク等がブレード部材２０の先端部により拭われることとなる。
【００１７】
【発明が解決しようとする課題】
上述のように各記録ヘッド４Ｙ〜４Ｂにおけるインク吐出口面ＩＳに付着したインク等がブレード部材２０により拭われる場合、ブレード部材２０に付着したインクが飛散する虞がある。このような場合、図１４の（Ｂ）に示される状態で、その飛散したインクがフレーム部材１０の開口部１０ａを通じて下方の用紙ＰＡの表面に付着し汚損する虞がある。
【００１８】
以上の問題点を考慮し、本発明は、記録媒体の記録面に対しインクを吐出して記録動作を行う記録部の回復処理を行う回復処理装置、およびそれを備えるインクジェット記録装置であって、回復処理の際、飛散したインクによる記録媒体の汚損を回避することができる回復処理装置、および、それを備えるインクジェット記録装置を提供することを目的とする。
【００１９】
【課題を解決するための手段】
上述の目的を達成するために、本発明に係る請求項１に記載のインクジェット記録装置は、記録媒体に対し液体を吐出し画像を形成する記録ヘッドと、記録ヘッドを回復処理する回復処理部を有するインクジェット記録装置において、記録媒体が搬送される搬送路と、搬送路と前記記録ヘッドとの間に配され、かつ記録ヘッドが通過可能な開口部を有した回復処理部と、開口部を覆うシャッター部材と、シャッター部材の上方で回復処理する回復処理位置と搬送路上の記録媒体に画像を形成する記録動作位置との間で開口部を通じて記録ヘッドを移動させる移動機構と、開口部を覆うためにシャッター部材を移動させる移動手段と、を有することを特徴とする。
また、本発明に係る請求項１１に記載の回復処理装置は、記録媒体が搬送される搬送路と、記録媒体に対し液体を吐出し画像を形成する少なくとも一つの記録ヘッドを有するインクジェット記録装置に適用される回復処理装置であって、搬送路と記録ヘッドとの間に配され、かつ記録ヘッドが通過可能な開口部を有した回復処理部と、開口部を覆うシャッター部材と、シャッター部材の上方で回復処理する回復処理位置と搬送路上の記録媒体に画像を形成する記録動作位置との間で開口部を通じて記録ヘッドを移動させる移動機構と、開口部を覆うためにシャッター部材を移動させる移動手段と、を有することを特徴とする。
【００２０】
【発明の実施の形態】
図１は、本発明に係る回復処理装置の一例を備えるインクジェット記録装置の要部を概略的に示す。
【００２１】
図１において、図示が省略される筐体における上部に配され記録媒体としての用紙ＰＡの記録面に対し記録動作を行う記録部３１と、記録部３１の下方に対向して形成され、その用紙ＰＡが矢印Ｃの示す方向に沿って搬送される記録媒体搬送路３６と、記録部３１と記録媒体搬送路３６との間に記録媒体搬送路３６に沿って移動可能に配され記録部３１の記録ヘッド３２Ｙ、３２Ｍ、３２ＬＭ、３２Ｃ、３２ＬＣ、および、３２Ｂに対してそれぞれ、回復処理を行う回復処理部４４とを含んで構成されている。
【００２２】
記録部３１は、記録媒体搬送路３６に沿って所定の相互間隔をもって配列される記録ヘッド３２Ｙ〜３２Ｂを保持するヘッドホルダー３０を含んで構成されている。ヘッドホルダー３０は、ヘッドホルダー昇降機構部３８により支持されている。ヘッドホルダー昇降機構部３８は、図示が省略される制御部により、所定の位置センサからの検出信号に基づいてその記録ヘッド３２Ｙ、３２Ｍ、３２ＬＭ、３２Ｃ、３２ＬＣ、および、３２Ｂが一点鎖線で示されるような、最上の位置（待機位置）、後述する第１および第２中間位置（回復処理位置）、二点鎖線で示されるような最下の位置（記録動作位置）をとるように制御される。
【００２３】
各記録ヘッド３２Ｙ〜３２Ｂは、それぞれ、例えば、バブルジェット式とされ、用紙ＰＡの記録面に対向してインク吐出口が記録面全域に亘って複数個形成されるインク吐出部を有している。各インク吐出口は、矢印Ｃの示す方向に対して略直交する方向に沿って所定の間隔で形成されている。各インク吐出口は、インク吐出部内に形成される各インク流路に連通している。各インク流路の他端は、共通インク室に合流している。各記録ヘッド３２Ｙ〜３２Ｂにおける共通インク室には、それぞれ、互いに色の異なるインクまたは互いに濃度の異なる濃淡インクが図示が省略される各インクタンクから供給される。また、各インク流路には、インクを加熱し膜沸騰現象によりインク吐出口を通じて液滴として吐出させる電気熱変換体としてのヒータが保護層を介して形成されている。
【００２４】
図１において、その一部が示される記録媒体搬送路３６は、その上流側には用紙ＰＡを供給する給紙部が設けられ、その下流側には印刷された用紙が載置される排紙トレーが設けられている。また、記録媒体搬送路３６には、図示が省略されるが、用紙を下流側に向けて（矢印Ｃの示す方向）搬送する給紙ローラユニット、および、印刷された用紙を排出する排紙ローラユニットがそれぞれ、その上流側部分および下流側部分に設けられている。
【００２５】
回復処理部４４は、後述する可動フレーム部材４２を移動可能に支持するフレーム部材３４と、可動フレーム部材４２により保持され各記録ヘッド３２Ｙ〜３２Ｂのインク吐出口面３２ｂに付着したインクおよび塵等をそれぞれ選択的に拭う複数のブレード部材４６と、各記録ヘッド３２Ｙ〜３２Ｂのインク吐出口面３２ｂに先端がそれぞれ選択的に当接する複数のキャップ部材４８と、各キャップ部材４８内に配される一対のインクガイド５２Ａおよび５２Ｂと、フレーム部材３４の底面部と可動フレーム部材４２との間に配されるシャッター部材４０とを含んで構成されている。
【００２６】
その筐体内に固定されるフレーム部材３４は、図１および図５に示されるように、可動フレーム部材４２を収容する収容部３４ｂを有するとともに、各記録ヘッド３２Ｙ〜３２Ｂにそれぞれ対応した所定の間隔で６個の開口部３４ａを底部に有している。収容部３４ｂを形成する壁面部における開口部３４ａの配列方向に沿った一方側には、ガイドレール部３４ｇａおよび３４ｇｂが互いに平行に隣接して形成されている。ガイドレール部３４ｇａおよび３４ｇｂには、それぞれ、後述する可動フレーム部材４２の一対のガイドローラ４２ｒａおよび４２ｒｂが係合される。
【００２７】
その底部に形成される各開口部３４ａの大きさは、後述するように各記録ヘッド３２Ｙ〜３２Ｂの先端部が通過するように、その先端寸法より大に設定されている。図5において、右端となる開口部３４ａの周縁部には、後述するシャッター部材４０を位置規制する突起部３４Ｅが所定の高さで形成されている。また、底部には、載置されるシャッター部材４０を摺動可能に受けるリブが複数個、所定の位置に形成されている。
【００２８】
可動フレーム部材４２は、図２に示されるように、フレーム部材３４のガイドレール部３４ｇａおよび３４ｇｂに対向して外周部にガイドローラ４２ｒａおよび４２ｒｂを有している。また、可動フレーム部材４２におけるガイドローラ４２ｒａおよび４２ｒｂに対向する端部は、フレーム部材３４に設けられるガイドシャフト５８に、摺動可能に案内支持されている。これにより、可動フレーム部材４２は、その収容部３４ｂ内をフレーム部材３４のガイドレール部３４ｇａおよび３４ｇｂ、ガイドシャフト５８により、往復動可能に支持されることとなる。
【００２９】
その底部には、各記録ヘッド３２Ｙ〜３２Ｂにそれぞれ対応した所定の間隔で５個の開口部４２ａが設けられている。開口部４２ａは、各記録ヘッド３２Ｙ〜３２Ｂの下端部よりも大なる寸法に設定されている。その開口部４２ａに対しその下流側に隣接した部分には、それぞれ、回収部の外周部を形成するキャップ部材４８およびブレード部材４６が設けられている。
【００３０】
弾性材料により薄板状に作られたブレード部材４６の下端部は、図９の（Ａ）、（Ｂ）、および（Ｃ）に示されるように、ブレードホルダー５０により支持されている。ブレード部材４６における紙面に垂直方向に延びる幅寸法は、全インク吐出口面３２ｂに摺接するように設定されている。ブレードホルダー５０は、可動フレーム部材４２内に設けられる凹部４２ｈ内に配されている。また、凹部４２ｈ内におけるブレードホルダー５０の下端と底部との間には、ブレードホルダー５０を上方に向けて付勢するコイルスプリング５１が設けられている。
【００３１】
キャップ部材４８は、ブレード部材４６に対し上流側となる位置に設けられている。弾性材料で一体に成形されるキャップ部材４８は、インク吐出口面３２ｂに対向する先端部に、開口端を形成するリップ部４８ａを有している。リップ部４８ａは、図８および図９の（Ａ）、（Ｂ）、および（Ｃ）に示されるように、インク吐出口面３２ｂに当接するとき、インク吐出口面３２ｂにおけるインク吐出口列を包囲するように形成されている。キャップ部材４８の内部には、凹部４２ｇが形成されている。凹部４２ｇは、キャップ部材４８の内側に形成される内壁面と、内壁面に連なり所定の勾配の傾斜面を有する底部とにより形成されている。底部には、後述する一対のインクガイド片５２Ａおよび５２Ｂが挿入される隙間４２ｇｄが形成されている。隙間４２ｇｄは、キャップ部材４８の内側に配されるフィルタ５６を介してドレイン部４２ｄｒに連通している。
【００３２】
一対のインクガイド片５２Ａおよび５２Ｂは、図７に示されるように、相対向しブラケット５２ＢＲによりその両端部がそれぞれ支持されている。インクガイド片５２Ａおよび５２Ｂは、それぞれ、インク吐出口面３２ｂに近接する上端部全体にくし歯状部５２Ｋが形成されている。くし歯状部５２Ｋとブラケット５２ＢＲとの段差は、図８に示されるように、ブラケット５２ＢＲがインク吐出口面３２ｂに当接するとき、所定の隙間（約0.5ｍｍ程度）がくし歯状部５２Ｋとインク吐出口面３２ｂとの間に形成されるように設定されている。
【００３３】
また、各ブラケット５２ＢＲは、図８および図９の（Ｃ）に示されるように、コイルスプリング５４により上方に向けて付勢されている。
【００３４】
可動フレーム部材４２におけるガイドローラ４２ｒａおよび４２ｒｂに対向する端部には、駆動用モータ６４の出力軸に連結されるコロ部材６２が係合されるアブソーバ部材６０が移動可能に配されている。そのコロ部材６２は、一点鎖線で示される円周上を回動せしめられる。アブソーバ部材６０は、相対向するコイルスプリング６６Ａおよび６６Ｂの間に配され、コイルスプリング６６Ａおよび６６Ｂの端部に結合されている。これにより、アブソーバ部材６０は、可動フレーム部材４２がフレーム部材３４に当接されて停止状態とされた後も移動せしめられるとき、コイルスプリング６６Ａおよび６６Ｂにより、その移動方向とは反対方向に付勢されることとなる。
【００３５】
シャッター部材４０は、図６に示されるように、可動フレーム部材４２の開口部４２ａに対応して５個の開口部４０ａを有している。開口部４０ａは、各記録ヘッドの下端部寸法よりも大なる寸法に設定されている。シャッター部材４０の右端部側には、一方の端部がフレーム部材３４に連結されるコイルスプリング６８の他端が連結されている。これにより、シャッター部材４０は、その端部がフレーム部材３４の突起部３４Ｅに当接する方向に付勢されることとなる。また、シャッター部材４０は、図３および図４に示される可動フレーム部材４２の係合片４２Ｋに係合される長孔４０Ｋを左端部側に有している。
【００３６】
従って、可動フレーム部材４２が図２において一点鎖線で示されるように、シャッター部材４０を伴なって移動せしめられフレーム部材３４の一方の内周面に当接するとき、シャッター部材４０は、図5に一点鎖線で示されるように、その開口部４０ａとフレーム部材３４の開口部３４ａとが一致する状態、即ち、図４に示されるように、フレーム部材３４の開口部３４ａと可動フレーム部材４２の開口部４２ａとの間を開放する位置を選択的にとる。
【００３７】
一方、可動フレーム部材４２が図２において実線で示されるように、フレーム部材３４の他方の内周面に当接するとき、シャッター部材４０は、図5に示されるように、フレーム部材３４の底部上に載置され、ニ点鎖線で示されるように、コイルスプリング６８の付勢力により付勢されその開口部４０ａとフレーム部材３４の開口部３４ａとが一致しない状態、即ち、遮蔽する位置を選択的にとる。
その際、可動フレーム部材４２の係合片４２Ｋは、シャッター部材４０の停止後、その長孔４０Ｋ内を一点鎖線で示される位置まで移動することとなる。
【００３８】
なお、可動フレーム部材４２が図１０の（Ａ）に示される位置にある場合、その係合片４２Ｋは、その長孔４０Ｋ内の略中間位置をとる。
【００３９】
従って、シャッター部材４０は、移動するために独自にアクチュエータを要することなく、その簡単な構成により可動フレーム部材４２に連動することとなる。
【００４０】
このような構成において、先ず、各記録ヘッド３２Ｙ〜３２Ｂの用紙ＰＡの記録面に対する記録動作が行われる場合、ヘッドホルダー３０とともに各記録ヘッド３２Ｙ〜３２Ｂは、ヘッドホルダ昇降機構３８により、図１に示される状態から図１０の（Ａ）に示される状態に上昇せしめられる。また、駆動用モータ６４が作動状態とされ、図１０の（Ｂ）に示されるように、可動フレーム部材４２は、各ブレード部材２０等が各記録ヘッド３２Ｙ〜３２Ｂの相互間または左端に到達し、フレーム部材３４の一方の内周面に当接するまで移動せしめられる。その際、フレーム部材３４の開口部３４ａと可動フレーム部材４２の開口部４２ａとの間は、連通した開放状態となる。
【００４１】
次に、ヘッドホルダー３０とともに各記録ヘッド３２Ｙ〜３２Ｂの下端部は、図１０の（Ｃ）に示されるように、ヘッドホルダ昇降機構３８により、各開口部３４ａ、４２ａ，および、４０ａを通じて用紙ＰＡに対し所定距離，離隔した位置まで下降せしめられた後、各記録ヘッド３２Ｙ〜３２Ｂは、順次、それぞれ、用紙ＰＡの記録面に対し記録動作を行う。
【００４２】
一方、各記録ヘッド３２Ｙ〜３２Ｂに対する回復処理を行うにあたっては、図１に示されるように、キャップ部材４８のリップ部４８ａが各記録ヘッド３２Ｙ〜３２Ｂのインク吐出口面３２ｂに当接している状態である第１の回復処理位置において可動フレーム部材４２のドレイン４２ｄｒに接続される真空ポンプ部が所定期間、作動状態とされる。これにより、各インク吐出口面３２ｂのインク吐出口からインクおよび異物が吸い出され、それが自重および毛管現象によりインクガイド片５２Ａおよび５２Ｂに落下し、凹部４２ｇの傾斜面を伝わってフィルタ部５６を介してドレイン部４２ｄｒに回収されることとなる。その際、インク中の異物がフィルタ部５６により濾過されることとなる。
【００４３】
続いて、各記録ヘッド３２Ｙ〜３２Ｂは、一旦、ヘッドホルダ昇降機構部３８により、待機位置に戻された後、図１１の（Ａ）に示されるような第２の回復処理位置（キャップ部材４８のリップ部４８ａから離隔されて所定位置）まで下降せしめられ停止される。
【００４４】
その際、可動フレーム部材４２が、図１０の（Ｂ）に示される状態から図１１の（Ａ）に示される状態を経て図１１の（Ｂ）の状態まで移動せしめられるのでブレード部材４６は、図１１の（Ａ）に示される状態を経て図１１の（Ｂ）に示される位置まで移動せしめられる。これにより、各インク吐出口面３２ｂに付着したインク等がブレード部材４６の先端部により拭われることとなる。
【００４５】
その際、シャッター部材４０は、可動フレーム部材４２に追従しコイルスプリング６８の付勢力により引き戻され突起部３４Ｅに当接し停止せしめられるので開口部３４ａの開口面積がシャッター部材４０の移動に応じて徐々に縮小され、開口部３４ａが最終的に遮蔽状態とされる。また、可動フレーム部材４２の対向面がフレーム部材３４の内周面に完全に突き当たり位置決めされる。
【００４６】
従って、各インク吐出口面３２ｂに付着したインク等がブレード部材４６の先端部により拭われる場合、飛散したインク滴が開口部３４ａを通じて落下し用紙ＰＡ上に付着することが回避されることとなる。
【００４７】
【発明の効果】
以上の説明から明らかなように、本発明に係る回復処理装置および、それを備えるインクジェット記録装置によれば、シャッター部材が、回復処理部における記録ヘッドが通過可能な開口部を覆うので回復処理の際、飛散したインクによる記録媒体の汚損を回避することができる。
【図面の簡単な説明】
【図１】本発明に係る回復処理装置の一例を備えるインクジェット記録装置の要部を概略的に示す構成図である。
【図２】図１に示される例における平面図である。
【図３】図２に示される可動フレーム部材の正面図である。
【図４】図１に示されるフレーム部材の一部を、シャッター部材および可動フレーム部材と共に拡大して示す断面図である。
【図５】図１に示される例におけるフレーム部材の平面図である。
【図６】図１に示される例におけるシャッター部材の平面図である。
【図７】図１に示される例におけるインクガイド部材を示す正面図である。
【図８】図１に示される例におけるインクガイド部材を記録ヘッドとともに示す部分断面図である。
【図９】（Ａ）、（Ｂ）、および（Ｃ）は、それぞれ、図８におけるＩＸＡ−ＩＸＡ線、ＩＸＢ−ＩＸＢ線、および、ＩＸＣ−ＩＸＣ線に沿って示す部分断面図である。
【図１０】（Ａ）、（Ｂ）、および（Ｃ）は、それぞれ、図１に示される例における動作説明に供される図である。
【図１１】（Ａ）、（Ｂ）は、それぞれ、図１に示される例における動作説明に供される図である。
【図１２】（Ａ）は、従来の装置の要部を概略的に示す構成図である。（Ｂ）は、（Ａ）における一部を拡大して示す断面図である。
【図１３】（Ａ）、（Ｂ）、および（Ｃ）は、それぞれ、図１２に示される例における動作説明に供される図である。
【図１４】（Ａ）、（Ｂ）は、それぞれ、図１２に示される例における動作説明に供される図である。
【符号の説明】
３２Ｙ，３２ｍ，３２Ｃ，３２Ｂ，３２ＬＭ，３２ＬＣ    記録ヘッド
３４    フレーム部材
３４ａ    開口部
４０    シャッター部材
４２    可動フレーム部材
ＰＡ    用紙
【図１】
0004544705.tif 000002
【図２】
0004544705.tif 000003
【図３】
0004544705.tif 000004
【図４】
0004544705.tif 000005
【図５】
0004544705.tif 000006
【図６】
0004544705.tif 000007
【図７】
0004544705.tif 000008
【図８】
0004544705.tif 000009
【図９】
0004544705.tif 000010
【図１０】
0004544705.tif 000011
【図１１】
0004544705.tif 000012
【図１２】
0004544705.tif 000013
【図１３】
0004544705.tif 000014
【図１４】
0004544705.tif 000015